【手続補正書】
【提出日】平成29年11月13日(2017.11.13)
【手続補正１】
【補正対象書類名】特許請求の範囲
【補正対象項目名】全文
【補正方法】変更
【補正の内容】
【特許請求の範囲】
【請求項１】
歯表面上の物質の存在を検出するための口腔ストリームプローブ検出装置であって、前記検出装置は、
第１の流体内に浸漬され、第２の流体の通過を可能にする開口を持つ遠位先端を定める口腔挿入部における遠位プローブ部と、
（ｉ）ポンプ部と、（ｉｉ）前記ポンプ部と流体連結する近位プローブ部と、を有し、前記近位プローブ部は、前記近位プローブ部と前記遠位プローブ部との間の流体連結を確立するために、コネクタを介して前記遠位プローブ部に接続されることができ、前記ポンプ部は、前記遠位先端を介する前記第２の流体の通過を生じさせ、これにより、前記遠位先端の前記開口を介する前記第２の流体の通過を少なくとも部分的に妨害する前記歯表面上の前記物質に相関する、前記センサパラメータを表す信号の測定に基づいて、前記歯表面上に存在し得る前記物質の検出を可能にするための前記遠位プローブ部のセンサパラメータにおける変化を誘起し、更に、（ｉｉｉ）前記センサパラメータを表す前記信号を検出するように構成及び配置されるパラメータセンサと、（ｉｖ）コントローラと、を有する、近位ボディ部と、
を有し、
前記コントローラは、前記パラメータセンサによって感知された信号読み取り値を処理するとともに、前記信号読み取り値が、前記遠位先端の前記開口を介する前記第２の流体の通過を少なくとも部分的に妨害する前記物質を示すかどうかを決定し、前記コントローラは、前記ポンプ部及び前記パラメータセンサと電気的に連絡し、前記コントローラは、前記処理された信号読み取り値が、前記遠位先端の前記開口を介する前記第２の流体の通過を少なくとも部分的に妨害する前記物質を示すと決定したことに応じて、前記遠位先端における動圧における変化をもたらすために、少なくとも前記ポンプ部に電気通信を送信し、
前記ポンプ部は、前記パラメータセンサ周囲のフローバイパスにより前記遠位先端の前記開口を通じて前記物質を除去するための動圧における変化を生じさせる、検出装置。
【請求項２】
前記近位ボディ部が、（ｖ）前記近位プローブ部と流体連結するように配置された前記パラメータセンサと、（ｖｉ）前記パラメータセンサ周囲にフローバイパスを形成するように、前記近位プローブ部と流体連結している流体導管部材と、（ｖｉｉ）前記流体導管部材に配置された、前記ポンプ部の動作中は閉位置にある流体フロー妨害装置と、を更に有し、
前記コントローラが、前記遠位先端の前記開口を介する流体の前記通過を少なくとも部分的に妨害する物質と相関する前記センサパラメータを表す信号を受信したことに応じて、前記コントローラは、前記遠位先端の前記開口を介する流体の前記通過を少なくとも部分的に妨害する前記物質を除去するために、前記遠位先端における動圧を変化させるべく、前記パラメータセンサをバイパスするよう、少なくとも部分的に開くための信号を、前記流体フロー妨害装置に送信する、請求項１記載の検出装置。
【請求項３】
前記近位ボディ部が、（ｖ）前記ポンプ部と前記近位プローブ部との間を流体連結するように配置され、前記ポンプ部と前記近位プローブ部との間の流体連結を可能にする中央パラメータセンサ部と、（ｖｉ）前記中央パラメータセンサ部と流体連結するように配置された前記パラメータセンサと、（ｖｉｉ）前記パラメータセンサ周囲にフローバイパスを形成するように、前記近位プローブ部と前記中央パラメータセンサ部とを流体連結する流体導管部材と、（ｖｉｉｉ）前記流体導管部材に配置された、前記ポンプ部の動作中は閉位置にある流体フロー妨害装置と、を更に有し、
前記コントローラが、前記遠位先端の前記開口を介する流体の前記通過を少なくとも部分的に妨害する物質と相関する前記センサパラメータを表す信号を受信したことに応じて、前記コントローラは、前記遠位先端の前記開口を介する流体の前記通過を少なくとも部分的に妨害する前記物質を除去するために、前記遠位先端における動圧を変化させるべく、前記パラメータセンサをバイパスするよう、少なくとも部分的に開くための信号を、前記流体フロー妨害装置に送信する、請求項１記載の検出装置。
【請求項４】
前記流体導管部材が、前記流体フロー妨害装置の上流に配置されるとともに、前記中央パラメータセンサ部と流体連結している流体容器を更に有し、
前記流体容器が、前記流体フロー妨害装置が閉位置にある場合に、前記パラメータセンサの下流の前記中央パラメータセンサ部における圧力よりも上の圧力で加圧される、請求項３記載の検出装置。
【請求項５】
前記コントローラが、前記遠位先端の前記開口を介する流体の前記通過を少なくとも部分的に妨害する物質と相関する前記センサパラメータを表す信号を受信したことに応じて、前記コントローラは、前記遠位先端の前記開口を介する流体の前記通過を少なくとも部分的に妨害する前記物質を除去するために、前記パラメータセンサをバイパスすべく、前記流体容器から圧力を解放して、前記遠位先端における動圧を増加させるよう、少なくとも部分的に開くための信号を、前記流体フロー妨害装置に送信する、請求項４記載の検出装置。
【請求項６】
前記パラメータセンサの上流にある前記中央パラメータセンサ部の一部と前記パラメータセンサの下流にある前記中央パラメータセンサ部の一部との間に流体連結が供給されるよう、前記流体容器の上流に配置された第２の流体フロー妨害装置を更に有し、前記第２の流体フロー妨害装置、前記流体容器、及び、前記流体フロー妨害装置が、前記パラメータセンサ周囲にフローバイパスを形成する、請求項５記載の検出装置。
【請求項７】
前記コントローラが、少なくとも部分的に開くための信号を前記流体フロー妨害装置に送信後、前記流体容器における圧力の減少に応じて、前記コントローラは、前記遠位先端の前記開口を介する流体の前記通過を少なくとも部分的に妨害する物質を除去するために、前記パラメータセンサ周囲のフローをバイパスすべく、閉位置から少なくとも部分的に開いた位置に移行させて、前記遠位先端における動圧を増加させるための信号を、前記第２の流体フロー妨害装置に送信する、請求項６記載の検出装置。
【請求項８】
（ｉｘ）前記パラメータセンサの下流の前記中央パラメータセンサ部における接続を通じて前記中央パラメータセンサ部と流体連結したポンプ排出流体導管部材を持つスタンバイポンプ部を更に有し、
前記コントローラが、前記遠位先端の前記開口を介する流体の前記通過を少なくとも部分的に妨害する物質と相関する前記センサパラメータを表す信号を受信したことに応じて、前記コントローラは、前記遠位先端の前記開口を介する流体の前記通過を少なくとも部分的に妨害する前記物質を除去するために、動作を初期化して、前記遠位先端における動圧を増加させる信号を、前記スタンバイポンプ部に送信する、請求項３記載の検出装置。
【請求項９】
前記検出装置の前記口腔挿入部上に配置された、前記歯表面の口腔衛生をもたらすための振動突起部のための振動シャフトを操作するための突起部振動モータを活性化させるための前記コントローラと電気的に連絡する活性化装置を更に有する、請求項１記載の検出装置。
【請求項１０】
前記コントローラと電気的に連絡する検出装置使用センサを更に有し、
前記検出装置使用センサが、動きセンサ又は接触センサのうちの少なくとも１つであり、前記接触センサが、圧力センサ又は温度センサの少なくとも１つである、請求項９記載の検出装置。
【請求項１１】
前記コントローラが、所定の期間内において、前記活性化装置の活性化がなく、前記検出装置使用センサの活性化を感知したことに応じて、前記コントローラは、前記遠位先端を介する前記第２の流体の通過を停止することを前記ポンプ部に通知する、請求項１０記載の検出装置。
【請求項１２】
前記ポンプ部が、前記ポンプ部を介する前記第２の流体の吸入を可能にするとともに、前記ポンプ部を介する第３の流体の吸入を可能にする吸入口を更に有し、
動圧における変化をもたらすことが、前記遠位先端の前記開口を介する流体の前記通過を妨害する前記物質を除去するために、前記遠位先端への前記第３の流体の通過を生じさせる前記ポンプ部を更に含む、請求項１記載の検出装置。